(57)【要約】【課題】製造コストの抑制、軽量化、及びディスプレイへの着脱の容易化に適した、ディスプレイの表面に設けるためのプライバシーフィルタを提供する。【解決手段】厚さ方向に直線状に貫通する複数のストレート孔が形成された樹脂フィルムと、複数のストレート孔に充填され、樹脂フィルムの屈折率と異なる屈折率を有する材料により形成された充填剤と、を備えたプライバシーフィルタを提供する。充填剤の屈折率と樹脂フィルムの屈折率との差の絶対値は、例えば０．１以上である。複数のストレート孔の直径は、例えば０．０５μｍ〜１００μｍであり、樹脂フィルムの厚さは、例えば１０μｍ〜１００μｍである。【選択図】図４
2014142637.tif 000002
【特許請求の範囲】
【請求項１】
ディスプレイの表面に設けるためのプライバシーフィルタであって、
厚さ方向に直線状に貫通する複数のストレート孔が形成された樹脂フィルムと、
前記複数のストレート孔に充填され、前記樹脂フィルムの屈折率と異なる屈折率を有する材料により形成された充填剤と、
を備えたプライバシーフィルタ。
【請求項２】
前記充填剤の屈折率と前記樹脂フィルムの屈折率との差の絶対値は、０．１以上である、請求項１に記載のプライバシーフィルタ。
【請求項３】
前記複数のストレート孔の直径は、０．０５μｍ以上１００μｍ以下であり、
前記樹脂フィルムの厚さは、１０μｍ以上１００μｍ以下である、請求項１又は２に記載のプライバシーフィルタ。
【請求項４】
前記複数のストレート孔の直径に対する前記樹脂フィルムの厚さの比率は、４．００以上である、請求項１〜３のいずれか１項に記載のプライバシーフィルタ。
【請求項５】
前記樹脂フィルムにおける前記複数のストレート孔の体積比率は、１５％以上４０％以下である、請求項１〜４のいずれか１項に記載のプライバシーフィルタ。
【請求項６】
前記樹脂フィルムは、ポリエチレンテレフタラート、ポリエチレンナフタレート、ポリカーボネート及びポリイミドから選ばれる少なくとも１種の材料から形成されている、請求項１〜５のいずれか１項に記載のプライバシーフィルタ。
【請求項７】
前記充填剤は着色されている、請求項１〜６のいずれか１項に記載のプライバシーフィルタ。
【請求項８】
前記充填剤は、３８０ｎｍ以上５００ｎｍ以下の波長域の少なくとも一部において光吸収能を有する着色剤を含んでいる、請求項７に記載のプライバシーフィルタ。
【請求項９】
前記充填剤は、着色剤によって、黒色、灰色及び茶色のいずれかに着色されている、請求項７又は８に記載のプライバシーフィルタ。
【請求項１０】
前記充填剤は、シリコーン樹脂製の粘着剤である、請求項１〜９のいずれか１項に記載のプライバシーフィルタ。
【請求項１１】
前記複数のストレート孔の開口を覆うように前記樹脂フィルムの一対の表面にそれぞれ設けられた、追加のフィルムをさらに含み、
前記複数のストレート孔の内部に、前記充填剤に代えて空気が密封されている、請求項１〜６のいずれか１項に記載のプライバシーフィルタ。
【請求項１２】
前記追加のフィルムは、粘着フィルムである、請求項１１に記載のプライバシーフィルタ。
【請求項１３】
前記樹脂フィルムの表面に設けられた反射防止フィルムをさらに備える、請求項１〜１２のいずれか１項に記載のプライバシーフィルタ。
【請求項１４】
前記反射防止フィルムの表面に設けられた保護フィルムをさらに備える、請求項１３に記載のプライバシーフィルタ。
【請求項１５】
前記樹脂フィルムの表面に設けられ、前記ディスプレイの表面に対して再剥離することが可能な粘着フィルムをさらに備える、請求項１〜１４のいずれか１項に記載のプライバシーフィルタ。
【発明の詳細な説明】
【技術分野】
【０００１】
本発明は、ディスプレイの表面に設けられ、第三者による覗き見を防止するためのプライバシーフィルタに関する。
【背景技術】
【０００２】
近年、携帯電話、スマートフォン、ノートパソコン等の携帯可能な電子機器が急速に普及している。これらの電子機器は、電車内や公共の場所で使用されることが多い。このため、ディスプレイに表示される個人情報や機密情報が第三者に覗き見され、漏洩した個人情報や機密情報が犯罪行為に悪用されるケースが増加する傾向にある。このような問題を解決するために、ディスプレイの表面にルーバーフィルムを貼り付け、覗き見を防止する技術が開示されている（特許文献１参照）。
【０００３】
特許文献１では、透明層とルーバー層（不透明層）とを交互に積層して一体化させた後、積層方向に対して垂直な方向で切断することによって、１枚のルーバーフィルムを製造している。１枚のルーバーフィルムでは、積層方向（例えば、左右方向）からの覗き見を防止することしかできないため、２枚のルーバーフィルムを積層方向が互いに直交する方向に重ねて接着することによって、積層方向及び積層方向と直交する方向（左右方向及び上下方向）からの覗き見を防止している。
【先行技術文献】
【特許文献】
【０００４】
【特許文献１】特開２００７−２７９４２４号公報
【発明の概要】
【発明が解決しようとする課題】
【０００５】
従来の構成では、例えば、一辺が１００ｍｍの矩形のルーバーフィルムを製造するためには、数千枚の透明層及びルーバー層を積層する必要がある。このように透明層及びルーバー層を積層する工程が膨大な数になると、ルーバーフィルムの製造コストが増大するおそれが生じる。
【０００６】
また、ルーバーフィルムを積層方向に対して垂直な方向で切断するときに、透明層及びルーバー層が互いに剥離しないようにするためには、１枚のルーバーフィルムの厚さが１５０μｍ以上であることが必要である。積層方向及び積層方向と直交する方向からの覗き見を防止するために２枚のルーバーフィルムを接着すると、２枚のルーバーフィルムの厚さ及び接着層の厚さを合計したルーバーフィルム全体の厚さが５００μｍ以上になる。このようにルーバーフィルムの厚さが厚くなると、ルーバーフィルムの質量が増加し、ルーバーフィルムを貼り付けた電子機器の軽量化を阻害する。また、ルーバーフィルムの厚さが厚いと、ルーバーフィルムが撓みにくくなるので、ルーバーフィルムのディスプレイへの着脱が容易ではない。また、タッチパネル式のディスプレイの場合には、ルーバーフィルム上から操作するために、タッチパネルの操作性が低下するおそれがある。
【０００７】
本発明は、製造コストの抑制、軽量化、及びディスプレイへの着脱の容易化に適したプライバシーフィルタの提供を目的とする。
【課題を解決するための手段】
【０００８】
本発明は、
ディスプレイの表面に設けるためのプライバシーフィルタであって、
厚さ方向に直線状に貫通する複数のストレート孔が形成された樹脂フィルムと、
前記複数のストレート孔に充填され、前記樹脂フィルムの屈折率と異なる屈折率を有する材料により形成された充填剤と、
を備えたプライバシーフィルタ、を提供する。
【発明の効果】
【０００９】
本発明によれば、複数のストレート孔が形成された樹脂フィルムと、樹脂フィルムの屈折率と異なる屈折率を有する材料により形成された充填剤と、を備えたプライバシーフィルタによって、従来のルーバーフィルムのように透明層及びルーバー層を積層する膨大な数の工程を省くことができるので、プライバシーフィルタの製造コストを抑えることができる。さらに、樹脂フィルムは、厚さ方向に直線状に貫通する複数のストレート孔が形成されているので、プライバシーフィルタの軽量化を図ることができる。さらに、樹脂フィルムは、従来のルーバーフィルムに比べて薄く形成することができるので、より軽量化を図ることができるとともに、ディスプレイへの着脱が容易なプライバシーフィルタの提供に適している。
【図面の簡単な説明】
【００１０】
【図１Ａ】本発明の一実施形態に係るプライバシーフィルタの一例を模式的に示す断面図である。
【図１Ｂ】本発明の別の実施形態に係るプライバシーフィルタの一例を模式的に示す断面図である。
【図１Ｃ】本発明のさらに別の実施形態に係るプライバシーフィルタの一例を模式的に示す断面図である。
【図２】本発明の一実施形態に係る樹脂フィルムの斜視図である。
【図３】本発明の一実施形態に係る樹脂フィルムの平面図である。
【図４】本発明の一実施形態に係る樹脂フィルムの断面図である。
【図５】本発明の一実施形態に係る樹脂フィルムにおいて可視光が透過する様子を模式的に表した断面図である。
【図６】本発明の一実施形態に係る樹脂フィルムの厚さＸとストレート孔の間隔Ｙとの関係の一例を模式的に表した図である。
【図７Ａ】本発明の一実施形態に係る樹脂フィルムに粘着層を形成する工程を模式的に表した断面図である。
【図７Ｂ】本発明の一実施形態に係る樹脂フィルム及び粘着層に機能フィルムを形成する工程を模式的に表した断面図である。
【図７Ｃ】本発明の一実施形態に係る樹脂フィルム、粘着層及び機能フィルムに粘着層を形成する工程を模式的に表した断面図である。
【図８Ａ】本発明の一実施形態に係る樹脂フィルムを通過する可視光の波長と正面から見たときの透過率との関係の一例を示すグラフである。
【図８Ｂ】本発明の別の実施形態に係る樹脂フィルムを通過する可視光の波長と正面から見たときの透過率との関係の一例を示すグラフである。
【図９】本発明の一実施形態に係るプライバシーフィルタが設けられる携帯電話の一例を示す斜視図である。
【図１０】本発明の一実施形態に係るプライバシーフィルタが設けられるタブレット端末の一例を示す斜視図である。
【図１１】本発明の一実施形態に係るプライバシーフィルタが設けられる液晶モニタの一例を示す斜視図である。
【発明を実施するための形態】
【００１１】
以下、添付の図面を参照しつつ、本発明の一実施形態を説明する。
【００１２】
本実施形態に係るプライバシーフィルタ１は、図９に示すように、例えば、携帯電話２１のディスプレイ２０の表面に再剥離可能に貼着され、ディスプレイ２０の表面に直交する法線に対する視認角度θ（図５参照）が所定の角度以上（例えば、３０度以上）の範囲であるときに第三者による覗き見を防止するためのものである。このようなプライバシーフィルタ１が設けられたディスプレイ２０では、視認角度θが０度以上３０度未満であるときはディスプレイ２０を視認することが可能であるが、視認角度θが３０度以上であるときはディスプレイ２０を視認しにくくなっている。また、視認角度θの最大値は、３０度に限定されず、４５度、６０度等の任意の角度に設定できる。なお、本実施形態のプライバシーフィルタ１では、上下方向及び左右方向を含む３６０度の方向からの覗き見を防止することが可能である。
【００１３】
図１Ａは、本実施形態に係るプライバシーフィルタ１の一例を示す断面図である。図１Ａのプライバシーフィルタ１は、粘着層８、樹脂フィルム２、粘着層３、反射防止フィルム４、保護フィルム５の順に積層されて構成されている。反射防止フィルム４は、樹脂層６と、反射防止層７とを含んでいる。反射防止フィルム４及び保護フィルム５は、１枚の機能フィルム９として提供されているものを用いてもよい。また、図１Ｂに示すように、プライバシーフィルタ１を製品として提供するときには、粘着層８の下面にセパレータ１０を設けてもよい。セパレータ１０は、粘着層８を保護するためのＰＥＴ等の樹脂製シートである。なお、プライバシーフィルタ１は、少なくとも樹脂フィルム２を含んでいればよく、好ましくは、粘着層８及び樹脂フィルム２から構成されている。言い換えれば、粘着層８、粘着層３、反射防止フィルム４及び保護フィルム５のいずれかを含まない構成であってよい。例えば、図１Ｃに示すように、プライバシーフィルタ１は、樹脂フィルム２、粘着層３、反射防止フィルム４、保護フィルム５の順に積層されて構成され、粘着層８を含まない構成であってもよい。
【００１４】
樹脂フィルム２は、図２〜図４に示すように、樹脂層１１と、樹脂層１１の厚さ方向に直線状に貫通するように形成された複数のストレート孔１２とを含む多孔体である。ストレート孔１２には樹脂フィルム２の屈折率と異なる屈折率を有する材料により形成された充填剤１３が充填されている。樹脂フィルム２は、無色のＰＥＴによって形成されており、屈折率は、例えば、１．５７である。充填剤１３は、無色又は着色されたシリコーン樹脂製の粘着剤であって、屈折率は、例えば、１．４３である。すなわち、充填剤１３の屈折率は、樹脂フィルム２の屈折率より小さい。このように屈折率の値を設定すると、充填剤１３の屈折率と樹脂フィルム２の屈折率との差は、０．１４であり、充填剤１３の屈折率と樹脂フィルム２の屈折率との差の絶対値は、０．１以上である。なお、充填剤１３は、充填剤１３の屈折率が樹脂フィルム２の屈折率より大きいものを使用してもよい。充填剤１３は液体又は固体である。しかし、充填剤１３に代えて、気体、特に空気を密封してもよい。空気の屈折率は１．００であって、樹脂フィルム２の屈折率より小さい。また、空気の屈折率と樹脂フィルム２の屈折率との差は、０．５７であり、空気の屈折率と樹脂フィルム２の屈折率との差の絶対値は、０．１以上である。この場合は、複数のストレート孔１２に空気を密封するために、複数のストレート孔１２の開口を覆うように樹脂フィルム１１の一対の表面にそれぞれ設けられた、追加のフィルムをさらに配置するとよい。追加のフィルムは、ストレート孔１２への微小な塵等の侵入を防止する役割を担い、フィルタの機能低下を抑制する。追加のフィルムは、特に制限されないが、例えば粘着層（粘着フィルム）３、８である。
【００１５】
充填剤１３は、３８０ｎｍ以上５００ｎｍ以下の波長域の少なくとも一部において光吸収能を有する着色剤を含んでいる。充填剤１３は、例えば、黒色、灰色及び茶色のいずれかの着色剤によって着色されている。着色された充填剤１３が充填された樹脂フィルム２の正面光透過率（５００ｎｍ以上６００ｎｍ以下の波長域の光を透過したときの平均透過率）は、６０％以上８５％以下であることが好ましく、７０％以上８５％以下であることがより好ましい。茶色又は灰色に着色した充填剤１３が充填された樹脂フィルム２を通過する光の波長と正面から見たときの透過率との関係を図８Ａに示し、無色の充填剤１３が充填された樹脂フィルム２を通過する光の波長と正面から見たときの透過率との関係を図８Ｂに示す。茶色又は灰色に着色した充填剤１３が充填された樹脂フィルム２は、無色の充填剤１３が充填された樹脂フィルム２に比して、３８０ｎｍ以上５００ｎｍ以下の波長域の光を１０％〜２０％多く吸収している。本実施形態の樹脂フィルム２では、３８０ｎｍ以上５００ｎｍ以下の波長域の光、すなわち、ディスプレイ２０から照射された可視光線の中ではエネルギーが高い青色光を多く吸収しているので、目の疲れを軽減できる。
【００１６】
樹脂フィルム２の寸法は特に限定されないが、樹脂フィルム２の厚さは、例えば１０μｍ以上１００μｍ以下であり、２０μｍ以上５０μｍ以下が好ましい。樹脂フィルム２のストレート孔１２の径は、０．０５μｍ以上１００μｍ以下であり、０．１μｍ以上１５μｍ以下が好ましい。樹脂フィルム２における複数のストレート孔１２の体積比率（気孔率）は、１５％以上４０％以下が好ましい。ストレート孔１２の間隔（樹脂フィルム２を厚さ方向に少なくとも２つ以上のストレート孔１２を含むように仮想的に切断したとき、仮想的な切断面に位置する複数のストレート孔１２のうち、隣接するストレート孔１２の間の距離の平均値）は、０．０７μｍ以上５７０μｍ以下であり、０．１５μｍ以上８５μｍ以下が好ましい。複数のストレート孔１２の直径に対する樹脂フィルム２の厚さの比率（アスペクト比）は、４．００以上である。ストレート孔１２の径とは、ストレート孔１２の貫通孔の断面形状を円とみなしたときの円の直径である。ストレート孔１２の径は、ＡＳＴＭ  Ｆ３１６−８６の規定に準拠して測定でき、例えば当該規定に準拠した自動測定が可能な市販の測定装置（米国Porous Materials Inc.より入手可能なPerm-Porometer）を、樹脂フィルム２の孔径の測定に利用できる。
【００１７】
ストレート孔１２の平面視の開口形状は、特に限定されず、その開口形状としては、円形及び多角形が例示される。ストレート孔１２の開口は、その周囲全体が樹脂フィルムの表面により囲まれている。言い換えると、本実施形態におけるストレート孔１２は、樹脂フィルム２を分断するスリットではない。本実施形態の樹脂フィルム２において、ストレート孔１２の平面視の開口形状は円形である。また、ストレート孔１２の厚さ方向に平行な断面形状も特に限定されず、矩形、台形等の形状が例示される。本実施形態の樹脂フィルム２では、ストレート孔１２の断面形状は、厚さ方向に長辺を有する矩形である。ストレート孔１２の軸線は、通常、樹脂フィルム２の主面に垂直な方向に延びている。
【００１８】
樹脂フィルム２を構成する材料は特に限定されない。樹脂フィルム２は、例えば、イオンビーム照射及びエッチングによって上記ストレート孔１２が形成される材料から構成される。このような材料は、例えば、アルカリ物質及び／または酸化剤を含んだエッチング処理液により分解される（加水分解性及び／または酸化分解性を有する）材料である。アルカリ物質は、例えば、水酸化カリウム、水酸化ナトリウムである。酸化剤は、例えば、亜塩素酸及びその塩、次亜塩素酸及びその塩、過酸化水素、過マンガン酸カリウムである。
【００１９】
樹脂フィルム２の材料としては、例えば、ポリエチレンテレフタレート（ＰＥＴ）、ポリエチレンナフタレート（ＰＥＮ）、ポリカーボネート（ＰＣ）及びポリイミド（ＰＩ）から選ばれる少なくとも１種の材料から選択される。これらの樹脂は、アルカリ物質及び／または酸化剤を含んだエッチング処理液により分解される材料である。ＰＩは、次亜塩素酸ナトリウムを主成分として含むエッチング処理液により分解される。その他の樹脂は、水酸化ナトリウムを主成分として含むエッチング処理液により分解される。本実施形態の樹脂フィルム２の材料としては、ＰＥＴが好ましい。
【００２０】
粘着層３は、樹脂フィルム２の表面に設けられ、反射防止フィルム４及び保護フィルム５を含む機能フィルム９を接着するシリコーン樹脂製の粘着剤である。粘着層３は、樹脂フィルム２の表面に貼り付けたとき、樹脂フィルム２に形成されたストレート孔１２に浸入することによって、充填剤１３を形成している。詳細には、図７Ａに示すように、樹脂フィルム２の表面（図７Ａの下側面）に粘着層３を塗工する。次に、図７Ｂに示すように、粘着層３が乾燥する前に、塗工台１４に載置された機能フィルム９の裏面（図７Ｂの上側面）に粘着層３が形成された樹脂フィルム２を載置して粘着層３に含まれている溶剤を乾燥させる。このとき、毛細管現象によって粘着層３のシリコーン樹脂がストレート孔１２に浸入し、ストレート孔１２全体に充填剤１３が充填される。そして、図７Ｃに示すように、樹脂フィルム２の裏面（図７Ｃの上側面）に粘着層８を塗工する。ここでは、ストレート孔１２全体に充填剤１３が充填されるので、樹脂フィルム２の裏面及び粘着層８の裏面を平滑化できる。従って、プライバシーフィルタ１をディスプレイ２０の表面に貼り付けるときに、粘着層８の裏面とディスプレイ２０の表面との間に空気が入りにくくなる。
【００２１】
反射防止フィルム４は、樹脂フィルム２の表面に設けられたフィルムであって、粘着層３によって接着されている。反射防止フィルム４は、ＰＥＴ等の樹脂層６と、樹脂層６上に形成された反射防止層７とを含んでいる。反射防止層７は、可視光反射率が低く、全光線透過率が高いことを特徴とする膜である。反射防止フィルム４を設けることによって、日射等の反射を抑えることができるので、ディスプレイ２０の視認性を向上できる。
【００２２】
保護フィルム５は、反射防止フィルム４の表面に設けられたフィルムであって、図示しない粘着層によって接着されている。保護フィルム５は、いわゆるハードコーティングとよばれる硬質な膜であって、耐擦過性に優れている。また、保護フィルム５は、表面が平滑な膜であって、指紋等が付着しても拭き取りやすくなっている。保護フィルム５を設けることによって、反射防止フィルム４の傷つきを防止できるとともに、ディスプレイ２０の表面を確実に保護できる。
【００２３】
粘着層８は、樹脂フィルム２の裏面に設けられ、ディスプレイ２０の表面に対して再剥離及び再貼り付けすることが可能な粘着フィルムである。粘着層８は、一般に、マスキングテープ、養生テープ等の粘着テープに使用される粘着剤である。粘着層８は、ディスプレイ２０の表面に対して再剥離及び再貼り付けすることができるので、ディスプレイ２０を傷つけることなく、プライバシーフィルタ１を貼り直すことができる。
【００２４】
次に、図５及び図６を参照して、本実施形態のプライバシーフィルタ１の機能を説明する。図５は樹脂フィルム２において可視光が透過する様子を模式的に表した断面図であり、図６は樹脂フィルム２の厚さＸとストレート孔１２の間隔Ｙとの関係を模式的に表した図である。なお、図５では、粘着層８、粘着層３、反射防止フィルム４、保護フィルム５を省略しているが、粘着層８、粘着層３、反射防止フィルム４、保護フィルム５において可視光が全透過するものとし、樹脂フィルム２の界面で可視光が屈折しないものとする。すなわち、樹脂フィルム２において可視光が透過する様子は、プライバシーフィルタ１において可視光が透過する様子と実質的に同一である。
【００２５】
図５では、樹脂フィルム２の右側に図示しないディスプレイ２０があり、可視光が右側から左側に通過し、樹脂フィルム２の左側において観察者が視認する様子を示している。ディスプレイ２０の表面に直交する法線に対する視認角度θの最大値は、図６に示すように、樹脂フィルム２の厚さＸとストレート孔１２の間隔Ｙとが成す角度である。本実施形態の視認角度θの最大値は、３０度である。また、視認角度θの２倍となる角度が、観察者が実際に視認可能な角度の最大値である。本実施形態では、実際に視認可能な角度の最大値は６０度である。
【００２６】
観察者がディスプレイ２０の正面またはディスプレイ２０に対して３０度以下の位置から見たとき、すなわち、ディスプレイ２０の表面に直交する法線に対する視認角度θが０度以上３０度未満であるとき、可視光は樹脂層１１又は充填剤１３が充填されたストレート孔１２を屈折しないで透過する。樹脂層１１のみを透過する可視光及び充填剤１３が充填されたストレート孔１２のみを透過する可視光は、屈折しないで透過するので、視認角度θが０度以上３０度未満であるときの視認性は良好である。
【００２７】
次に、観察者がディスプレイ２０に対して３０度以上の位置から見たとき、すなわち、ディスプレイ２０の表面に直交する法線に対する視認角度θが３０度以上であるとき、樹脂層１１の屈折率と充填剤１３の屈折率とが異なっているので、可視光は樹脂層１１及び充填剤１３が充填されたストレート孔１２を屈折しながら透過する。樹脂層１１及び充填剤１３が充填されたストレート孔１２を透過する可視光は、それぞれ、異なる方向に向かって屈折しながら透過するので、ディスプレイ２０がぼやけてしまう。このため、視認角度θが０度以上３０度未満であるときの視認性は不良である。
【００２８】
本実施形態によれば、ストレート孔１２が形成された樹脂フィルム２と、ストレート孔１２に充填され樹脂フィルム２の屈折率と異なる屈折率を有する材料により形成された充填剤１３と、を備えたプライバシーフィルタ１によって、従来のルーバーフィルムのように透明層及びルーバー層を積層する膨大な数の工程を省くことができるので、プライバシーフィルタ１の製造コストを抑えることができる。さらに、樹脂フィルム２は、厚さ方向に直線状に貫通する複数のストレート孔１２が形成されているので、プライバシーフィルタ１の軽量化を図ることができる。さらに、樹脂フィルム２は、従来のルーバーフィルムに比べて薄く形成することができるので、より軽量化を図ることができるとともに、ディスプレイ２０への着脱が容易なプライバシーフィルタ１を提供できる。
【実施例】
【００２９】
（実施例１）
樹脂フィルムとしての無色のメンブレンフィルタｉｐＰＯＲＥ（登録商標）（ｉｔ４ｉｐ社製、ＰＥＴ樹脂製、屈折率１．５７）を準備した。表１に示すように、メンブレンフィルタのストレート孔の径は３μｍであり、メンブレンフィルタにおけるストレート孔の体積比率（気孔率）は１５％であり、メンブレンフィルタの厚さが２０μｍであり、ストレート孔の直径に対するメンブレンフィルタの厚さの比率（アスペクト比）は、６．６７であった。
【００３０】
【表１】
2014142637.tif 000003
【００３１】
シリコーン粘着剤Ｘ−４０−３２２９（信越化学工業社製）１００重量部と、硬化触媒Ｃａｔ  ｐｌ−５０ｔ（信越化学工業社製）０．０４１５重量部と、密着向上剤（シランカップリング剤）ＳＤ−７２００（東レ・ダウコーニング社製）０．３重量部とを均一に混合し、充填剤及び粘着層に用いる無色のシリコーン樹脂製の粘着剤（屈折率１．４３）を作製した。
【００３２】
メンブレンフィルタの表面に、上記粘着剤を塗布し、メンブレンフィルタのストレート孔全体に上記粘着剤を充填した。上記粘着剤を塗布したメンブレンフィルタの表面に、反射防止フィルム及び保護フィルムとして機能するルミクリア  ＳＦ−Ｖ（東レ社製）を貼着した。
【００３３】
メンブレンフィルタの裏面に、上記粘着剤を塗布し、プライバシーフィルタを作製した。表１に示すように、プライバシーフィルタの厚さは１６５μｍであり、プライバシーフィルタの重さは０．０１９ｇ／ｃｍ2であった。
【００３４】
プライバシーフィルタの可撓性を判定した。プライバシーフィルタの可撓性は、プライバシーフィルタを９０度以上大きな力を加えないで曲げることができるとき、可撓性は良好（○）であると判定し、プライバシーフィルタを９０度以上大きな力を加えて曲げることができるとき、可撓性は中程度（△）であると判定し、プライバシーフィルタを９０度以上曲げることができないとき、可撓性は不良（×）であると判定した。表１に示すように、プライバシーフィルタの可撓性は良好であった。
【００３５】
プライバシーフィルタを携帯電話のディスプレイに貼付し、観察者がディスプレイの正面から見たときの視認性、左右方向及び上下方向のディスプレイに対して３０度の位置から見たときの視認性、左右方向及び上下方向のディスプレイに対して４５度の位置から見たときの視認性、をそれぞれ判定した。詳細には、観察者は、携帯電話（Ｗ５３Ｋ、京セラ製）のディスプレイの表面から３０ｃｍ離れた位置において、各視認角度においてディスプレイに表示された文字（３．５インチの画面サイズにおいて、画面の明るさをレベル３設定し、背景色を白色に設定し、文字色を黒色に設定し、文字サイズを中（横１０文字）に設定したときの全角ひらがな及び全角英数字）が識別可能であるとき、視認性は良好（○）であると判定し、文字が識別できないとき、視認性は不良（×）であると判定した。表２に示すように、観察者がディスプレイの正面から見たときの視認性は、良好であった。観察者が左右方向及び上下方向のディスプレイに対して３０度の位置から見たときの視認性は、不良であった。観察者が左右方向及び上下方向のディスプレイに対して４５度の位置から見たときの視認性は、不良であった。
【００３６】
【表２】
2014142637.tif 000004
【００３７】
（実施例２〜９）
実施例２〜９では、表１に示すように、メンブレンフィルタ及びストレート孔に充填されるシリコーン粘着剤以外は実施例１と同様にして、プライバシーフィルタを作製した。実施例２〜９では、ストレート孔の径、気孔率および厚さが表１に示したとおりの値であるｉｐＰＯＲＥ（登録商標）を用いた。実施例２、３、７及び８では、シリコーン粘着剤をグレー色又はブラウン色のシリコーン用ベースカラー  ＳＣＴシリーズ（大日精化工業社製）によって、シリコーン粘着剤を充填したメンブレンフィルタの正面光透過率（５００ｎｍ以上６００ｎｍ以下の波長域の光を透過したときの平均透過率）が５０％以上７０％以下となるように着色し、この着色したシリコーン粘着剤をストレート孔に充填した。また、実施例４及び９では、シリコーン粘着剤をストレート孔に充填しなかった。この結果、実施例４及び９では、ストレート孔に空気が密封される。
【００３８】
このように作製されたプライバシーフィルタの可撓性及び視認性を測定した結果を表１及び表２に示す。実施例２〜９では、プライバシーフィルタの可撓性は良好であった。実施例２〜９では、観察者がディスプレイの正面から見たときの視認性は、良好であった。実施例２〜９では、観察者が左右方向及び上下方向のディスプレイに対して３０度以上の位置から見たときの視認性は、不良であった。
【００３９】
（比較例１）
比較例１では、表１に示すように、従来のルーバーフィルムを有する携帯電話用のプライバシーフィルタ（ＩＳ０５専用プライバシーガードナー、ラスタバナナ社製）を用意した。このプライバシーフィルタの樹脂フィルムには、ストレート孔が設けられていない。比較例１では、表１に示すように、プライバシーフィルタの厚さは５１０μｍであり、プライバシーフィルタの重さは０．０６３ｇ／ｃｍ2であった。
【００４０】
比較例１におけるプライバシーフィルタの可撓性及び視認性を測定した結果を表１及び表２に示す。比較例１では、プライバシーフィルタの可撓性は不良であった。比較例１では、観察者がディスプレイの正面から見たときの視認性は、良好であった。比較例１では、観察者が左右方向及び上下方向のディスプレイに対して３０度以上の位置から見たときの視認性は、不良であった。
【００４１】
（比較例２）
比較例２では、表１に示すように、従来のルーバーフィルムを有するスマートフォン用のプライバシーフィルタ（Ｘｐｅｒｉａ（登録商標）  ａｒｃ（ＳＯ−０１Ｃ）用覗き見防止タイプ液晶保護フィルム、リックス社製）を用意した。このプライバシーフィルタの樹脂フィルムには、ストレート孔が設けられていない。比較例２では、表１に示すように、プライバシーフィルタの厚さは４００μｍであり、プライバシーフィルタの重さは０．０５１ｇ／ｃｍ2であった。
【００４２】
比較例２におけるプライバシーフィルタの可撓性及び視認性を測定した結果を表１及び表２に示す。比較例２では、プライバシーフィルタの可撓性は不良であった。比較例２では、観察者がディスプレイの正面から見たときの視認性は、良好であった。比較例２では、観察者が左右方向及び上下方向のディスプレイに対して３０度以上の位置から見たときの視認性は、不良であった。
【００４３】
（比較例３）
比較例３では、表１に示すように、従来の反射フィルムを有する携帯電話用のプライバシーフィルタ（のぞき見ガード、大創産業社製）を用意した。このプライバシーフィルタの樹脂フィルムには、ストレート孔が設けられていない。比較例３では、表１に示すように、プライバシーフィルタの厚さは２７０μｍであり、プライバシーフィルタの重さは０．０３６ｇ／ｃｍ2であった。
【００４４】
比較例３におけるプライバシーフィルタの可撓性及び視認性を測定した結果を表１及び表２に示す。比較例３では、プライバシーフィルタの可撓性は中程度であった。比較例３では、観察者がディスプレイの正面から見たときの視認性は、良好であった。比較例３では、観察者が左右方向及び上下方向のディスプレイに対して３０度以上の位置から見たときの視認性は、良好であった。
【００４５】
実施例１〜９の樹脂フィルムには、厚さ方向に直線状に貫通する複数のストレート孔が形成されているので、比較例１〜３のプライバシーフィルタに比して、プライバシーフィルタの軽量化を図ることができる。また、実施例１〜９の樹脂フィルムは、比較例１〜３のルーバーフィルムに比べて薄く形成することができるので、より軽量化を図ることができるとともに、ディスプレイへの着脱が容易なプライバシーフィルタを提供できる。
【００４６】
さらに、実施例１〜９のプライバシーフィルタは、透明層及びルーバー層を積層する膨大な数の工程を省くことができるので、プライバシーフィルタの製造コストを抑えることができる。また、実施例１〜９のプライバシーフィルタは、視認角度θの最大値を３０度までの狭い角度に設定できる。また、実施例１〜９のプライバシーフィルタは、プライバシーフィルタの可撓性が良好であるので、プライバシーフィルタのディスプレイへの着脱が容易になる。
【産業上の利用可能性】
【００４７】
本発明のプライバシーフィルタは、従来のプライバシーフィルタと同様の用途、例えば、図１０に示すタブレット端末３１のディスプレイ３０、図１１に示す液晶モニタ４１のディスプレイ４０、スマートフォンのディスプレイ、ノートパソコンのディスプレイ、ＡＴＭに設けられたディスプレイに使用できる。
【符号の説明】
【００４８】
１  プライバシーシート
２  樹脂フィルム
３  粘着層
４  反射防止フィルム
５  保護フィルム
６  樹脂層
７  反射防止層
８  粘着層
９  機能フィルム
１０  セパレータ
１１  基材
１２  ストレート孔
１３  粘着剤
１４  塗工台
２０  ディスプレイ
２１  携帯電話
３０  ディスプレイ
３１  タブレット端末
４０  ディスプレイ
４１  液晶モニタ
Ｘ  樹脂フィルムの厚さ
Ｙ  ストレート孔の間隔
θ  視認角度
【図１Ａ】
2014142637.tif 000005
【図１Ｂ】
2014142637.tif 000006
【図１Ｃ】
2014142637.tif 000007
【図２】
2014142637.tif 000008
【図３】
2014142637.tif 000009
【図４】
2014142637.tif 000010
【図５】
2014142637.tif 000011
【図６】
2014142637.tif 000012
【図７Ａ】
2014142637.tif 000013
【図７Ｂ】
2014142637.tif 000014
【図７Ｃ】
2014142637.tif 000015
【図８Ａ】
2014142637.tif 000016
【図８Ｂ】
2014142637.tif 000017
【図９】
2014142637.tif 000018
【図１０】
2014142637.tif 000019
【図１１】
2014142637.tif 000020